(57)【特許請求の範囲】
【請求項１】
口頸部２を起立する容器体１と、
上記口頸部外面へ抜出しおよび回動不能に嵌合させた外周壁12上端に付設した内向きフランジ状頂壁13上面からキャップ嵌合筒14を起立すると共に、その頂壁内周から口頸部内壁面へ水密に接して内周壁16を垂下する装着筒11と、
上記キャップ嵌合筒14の上端面へ載置させた短筒部32の下部内面から、キャップ嵌合筒14および内周壁16内面へ少くとも一部を水密に接して、下端面を前部が高い傾斜状とする吊持ち筒部33を垂下し、かつ該筒部下端に後部を開口34する内向きフランジ35を付設して、該フランジ内周から後面および上面開放の樋状注出部36を、上記短筒部よりも高く起立する注出部材31と、
上記吊持ち筒部33の内面へ、頂板42外周から垂設した計量筒43の下部外面を水密に嵌合させると共に、該筒の外面に付設した外向きフランジ44を上記短筒部32上面へ載置させ、かつ該外向きフランジ44外周から垂設した外筒45を、キャップ嵌合筒外面へ螺合させた計量キャップ41とからなり、
上記装着筒のキャップ嵌合筒14内面と注出部材31の吊持ち筒部33の上部外面とを螺合させた
ことを特徴とする液体注出容器。
【請求項２】
上記キャップ嵌合筒14内面と吊持ち筒部33の上部外面との螺合を、それぞれの内面および外面に付設した、短かくかつ大リードの複数の雌雄螺条19，38で行った
ことを特徴とする、請求項１記載の液体注出容器。
【請求項３】
口頸部２を起立する容器体１と、
上記口頸部外面へ抜出しおよび回動不能に嵌合させた外周壁12上端に付設した内向きフランジ状頂壁13上面からキャップ嵌合筒14を起立すると共に、その頂壁内周から口頸部内壁面へ水密に接して内周壁16を垂下する装着筒11と、
上記キャップ嵌合筒14の上端面へ載置させた鍔状板52の外周からキャップ嵌合筒の上部外面へ嵌合させて把持筒53を、かつキャップ嵌合筒14および内周壁16内面へ少くとも一部を水密に接して、下端面を前部が高い傾斜状とする吊持ち筒部33を垂下し、かつ該筒部下端に、後部を開口34する内向きフランジ35を付設して、該フランジ内周から後面および上面開放の樋状注出部を、上記短筒部よりも高く起立する注出部材31と、
上記吊持ち筒部33の内面へ、頂板42外周から垂設した計量筒43の下部外面を水密に嵌合させると共に、該筒の外面に付設した外向きフランジ44を注出部材31の鍔状板52上面へ載置させ、かつ該外向きフランジ外周から垂設した外筒45をキャップ嵌合筒14の下部外面へ螺合させた計量キャップ41とからなり、
上記キャップ嵌合筒14の上端面から、等間隔に等高かつ複数の山状部51を起立すると共に注出部材の上記把持筒53と吊持ち筒部33との間隙上部内に、上記山状部51と同数の係合板54を等間隔に横設した
ことを特徴とする液体注出容器。
【発明の詳細な説明】
【０００１】
【発明の属する技術分野】
本発明は液体注出容器に関する。
【０００２】
【従来の技術】
例えば特開昭 62-193962号が示すように、口頸部の上端部を小外径とした容器体と、上記小外径部外面へ、容器体口頸部上端面上へ載置させた鍔状板外周から垂下する短筒を嵌合させると共に、その鍔状板の内周から容器体口頸部内へ吊持ち筒を垂下し、該吊持ち筒下端に、内縁を後部が低い傾斜面として、斜下内方へ突出する後面開口の内向きフランジを設け、その内向きフランジ内周縁から、平面からみてＣ字状に後面を開口する樋状注出部を上記容器体口頸部上端よりも高く起立する注出部材と、上記吊持ち筒の下部内面へ、頂板外周から垂下する周壁下部を嵌合させると共に該周壁外面へ付設した外向きフランジを上記鍔状板上面へ載置し、該外向きフランジ外周から垂設した外筒を容器体口頸部外面へ螺合させた計量筒兼用のキャップとからなる液体注出容器が知られている。
【０００３】
【発明が解決しようとする課題】
上記液体注出容器は、容器体内液体を、注出部材の樋状注出部を利用して計量筒兼用のキャップ内に移して計量し、該計量液体をキャップに入れたまま移動させて、移し変え用の容器、ないし洗濯機の水槽等に移すが、上記注出部材は容器体を傾けた際、該容器体内から流出する液体の水圧によって容器体口頸部が外れることがないように、容器体口頸部に対して確実に嵌着されている。
【０００４】
ところで近時、容器体内液体を使用し尽した後、液体補充を行って容器を継続して使用することが多くなり、該液体補充を上記容器に施すと、注出部材の樋状注出部の上部が容器体口頸部上端面よりも上方へ起立しているため、補充液体を充填させた詰替え容器体内から上記容器体内への液体注入が面倒となる欠点があった。該欠点除去のためにはその注出部材を容器体口頸部に対して着脱自在にすることが考えられるが、その注出部材は、液体注出の便宜上容器体口頸部に対して抜出しおよび回動不能に取付けられていることが必要であり、又注出部材の吊持ち筒部は液洩れ防止のために容器体口頸部内面へ水密に接していることが必要である。このような機能を必要とする注出部材に、更に容器体口頸部に対して着脱自在な機能を持たせると、構造が複雑化すると共に上記諸機能が不完全となり易い。
【０００５】
本発明は上記容器体と、注出部材と、計量筒兼用のキャップとからなる液体注出容器を、容器体と、該容器体口頸部に嵌合させる装着筒と、該装着筒へ嵌合させる樋状注出部付きの注出部材と、計量兼用の計量キャップとで形成し、上記注出部材を装着筒に対して着脱自在とすることで、容器体内への液体補充に際して、樋状注出部が邪魔となる欠点を除去したものである。
【０００６】
【課題を解決するための手段】
第１の手段として口頸部２を起立する容器体１と、
上記口頸部外面へ抜出しおよび回動不能に嵌合させた外周壁12上端に付設した内向きフランジ状頂壁13上面からキャップ嵌合筒14を起立すると共に、その頂壁内周から口頸部内壁面へ水密に接して内周壁16を垂下する装着筒11と、
上記キャップ嵌合筒14の上端面へ載置させた短筒部32の下部内面から、キャップ嵌合筒14および内周壁16内面へ少くとも一部を水密に接して、下端面を前部が高い傾斜状とする吊持ち筒部33を垂下し、かつ該筒部下端に後部を開口34する内向きフランジ35を付設して、該フランジ内周から後面および上面開放の樋状注出部36を、上記短筒部よりも高く起立する注出部材31と、
上記吊持ち筒部33の内面へ、頂板42外周から垂設した計量筒43の下部外面を水密に嵌合させると共に、該筒の外面に付設した外向きフランジ44を上記短筒部32上面へ載置させ、かつ該外向きフランジ44外周から垂設した外筒45を、キャップ嵌合筒外面へ螺合させた計量キャップ41とからなり、
上記装着筒のキャップ嵌合筒14内面と注出部材31の吊持ち筒部33の上部外面とを螺合させた。
【０００７】
第２の手段として、上記第１の手段を有すると共に、上記キャップ嵌合筒14内面と吊持ち筒部33の上部外面との螺合を、それぞれの内面および外面に付設した、短かくかつ大リードの複数の雌雄螺条19，38で行った。
【０００８】
第３の手段として口頸部２を起立する容器体１と、
上記口頸部外面へ抜出しおよび回動不能に嵌合させた外周壁12上端に付設した内向きフランジ状頂壁13上面からキャップ嵌合筒14を起立すると共に、その頂壁内周から口頸部内壁面へ水密に接して内周壁16を垂下する装着筒11と、
上記キャップ嵌合筒14の上端面へ載置させた鍔状板52の外周からキャップ嵌合筒の上部外面へ嵌合させて把持筒53を、かつキャップ嵌合筒14および内周壁16内面へ少くとも一部を水密に接して、下端面を前部が高い傾斜状とする吊持ち筒部33を垂下し、かつ該筒部下端に、後部を開口34する内向きフランジ35を付設して、該フランジ内周から後面および上面開放の樋状注出部を、上記短筒部よりも高く起立する注出部材31と、
上記吊持ち筒部33の内面へ、頂板42外周から垂設した計量筒43の下部外面を水密に嵌合させると共に、該筒の外面に付設した外向きフランジ44を注出部材31の鍔状板52上面へ載置させ、かつ該外向きフランジ外周から垂設した外筒45をキャップ嵌合筒14の下部外面へ螺合させた計量キャップ41とからなり、
上記キャップ嵌合筒14の上端面から、等間隔に等高かつ複数の山状部51を起立すると共に注出部材の上記把持筒53と吊持ち筒部33との間隙上部内に、上記山状部51と同数の係合板54を等間隔に横設した。
【０００９】
【発明の実施の形態】
まず図１から図３が示す第１実施形態について説明すると、１は口頸部２を起立する容器体である。その口頸部の中間部外面には係合突条３を付設し、該係合突条上方の口頸部部分を小外径とし、かつ該小外径外面に複数の回り止め用突条４を縦設している。
【００１０】
上記口頸部には装着筒11を嵌合させる。該装着筒は、上記口頸部外面へ嵌合させた外周壁12上端に付設した内向きフランジ状頂壁13上面からキャップ嵌合筒14を起立すると共に、その頂壁内周から斜下内方へ突出するテーパ壁部15を介して口頸部内壁面に上部を水密に接して内周壁16を垂下する。
【００１１】
上記外周壁12の下部内面には既述容器体口頸部の係合突条３下面へ係合する突条17を周設し、又該突条上方の外周壁内面には回り止め突条４と噛合う嵌合突条18を複数縦設している。又キャップ嵌合筒14の内面には、後述注出部材を螺合させる、短かく、かつ大リードの複数の雌螺条19を付設し、又キャップ嵌合筒14の外面には、後述計量キャップを螺合させる複数の小リードの雄ねじ20を付設している。上記各螺条はそれぞれ等間隔に付設する。
【００１２】
31は注出部材であり、上記キャップ螺合筒14の上端面へ載置させた短筒部32の下部内面から、キャップ嵌合筒14および内周壁16内面へ少くとも一部を水密に接して、下端面を前部が高い傾斜状とする吊持ち筒部33を垂下し、かつ該筒部下端に、後部を開口34する内向きフランジ35を付設して、該フランジ内周から後面および上面開放の樋状注出部36を、上記短筒部32よりも高く起立する。
【００１３】
上記短筒部32外面には滑止め突条37を多数平行に縦設しており、又吊持ち筒部33の上部内面には、キャップ嵌合筒14内面に付設した雌螺条19と螺合させた雄螺条38を複数設ける。雄螺条も雌螺条と同様に短かく、かつ大リードとする。但しそれ等は通常のリードの雌雄螺条としてもよい。吊持ち筒部の中間部は斜下内方へのテーパ部39とし、該テーパ部外面と既述装着筒のテーパ壁部15とを水密に圧接させている。
【００１４】
41は計量キャップで、上記吊持ち筒部の上部内面へ、頂板42外周から垂設した計量筒43の下部外面を水密に嵌合させると共にその計量筒の外面に付設した外向きフランジ44を短筒部32の上面へ載置させ、かつその外向きフランジ外周から垂設した外筒45をキャップ嵌合筒14外筒へ螺合させている。
【００１５】
上記実施形態においては、計量キャップ螺脱状態で容器体を傾け、樋状注出部36から液体注出して計量キャップ41の計量筒43内へ液体注入して使用するが、その容器体内液体が無くなると、計量キャップ螺脱状態において、短筒部32を持って注出部材31を装着筒11から螺脱し、該状態から装着筒11を介して容器体１内へ液体を補充し、該液体補充の後、再び注出部材31の雄螺条38を、キャップ嵌合筒の雌螺条19へ螺合させて装着筒11に注出部材31を取付け、更に計量キャップ41を図示のように倒立させて、その外筒45をキャップ嵌合筒14外面へ螺合させる。
図４と図５とは第２実施形態を示す。
【００１６】
該実施形態は、第１実施形態とほぼ同様であるが、次の点で異る。
装着筒11のキャップ嵌合筒14内面と注出筒の吊持ち筒部33外面との間に雌雄の螺条を設けることに代え、キャップ嵌合筒14の上端面から等間隔に等高かつ複数の山状部51を起立させると共に、キャップ嵌合筒14の上部を小外径として、該小外径部分下方筒部分外面に計量キャップ螺合用雄ねじ20を設け、上記小外径部外面には、上記吊持ち筒部上端に付設した外向きフランジ状の鍔状板52外周から垂設した把持筒53を嵌合させ、該把持筒と吊持ち筒部との各上端部間に、係合板54を横設している。その係合板は、上記山状部と同数とし、かつ等間隔に付設する。
尚第１実施形態と同様に設けた部分については同一符号を付設することで説明は省略する。
【００１７】
該第２実施形態の場合も液体計量は第１実施形態の場合と同様、まず計量キャップを外し、容器体を傾けて樋状注出部から計量キャップ内へ液体を注入して計量し、その計量液体を使用する。
【００１８】
容器体内への液体補充の際は、計量キャップ41取外し状態で、把持筒53を装着筒11に対して回すと、係合板54が山状部51上へ乗上げることで注出部材31が装着筒11から上方へ移動するから、そのまま図５のように注出部材31を離脱させればよい。該注出部材取外し状態で補充液体収納容器61を開口して液体補充を行い、再び把持筒53と吊持ち筒部33との間へ、キャップ嵌合筒14上部を差込み、嵌合させて装着筒11に注出部材31を取付け、更に計量キャップ41を図４のように取付ければよい。
尚既述構成部材は、それぞれ合成樹脂材で一体成形している。
【００１９】
【発明の効果】
本発明は既述構成とするもので、樋状注出部36を有する注出部材31を、容器体口頸部へ抜出しおよび回動不能更に水密に嵌合させた装着筒11に対して着脱に嵌合させたから、容器体内への液体補充時に、注出部材31を外して補充液体を容器体内へ流入させることが出来、よって樋状注出部を有する注出部材を容器体口頸部内に嵌合させたままで液体補充を行う従来例に比べて、その液体補充を容易かつ迅速に行うことが出来る。又請求項２の場合は装着筒11のキャップ嵌合筒14内面と、そのキャップ嵌合筒上端面へ載置させた短筒部32の下部内面から垂下する吊持ち筒部33の上部外面とに短かく、かつ大リードの複数の雌雄螺条19，38を付設してそれ等を螺合させたから、装着筒11に対する注出部材31の螺合および螺脱を迅速かつ容易に行うことが出来、しかも液体注出時において、装着筒11からの注出部材の抜出しを確実に防止できる。上記キャップ嵌合筒14と注出部材31との螺合は、大リードの雌雄螺条で行うため、通常該螺合部分は容器体の震動等で弛み易い筈であるが、本発明では計量筒43外面に付設した外向きフランジ44を、吊持ち筒部33上端の短筒部32の上面へ載置し、かつその外向きフランジ外周から垂下する外筒45をキャップ嵌合筒外面へ通常のリードで螺合させているから、計量キャップ螺合時において上記注出部材31が弛むおそれはない。
【００２０】
請求項３の場合も、注出部材31を、容器体口頸部へ抜出しおよび回動不能に、更に水密に嵌合させた装着筒11に対して着脱可能に嵌合させたから、容器体内への液体補充時に注出部材が有する樋状注出部36が邪魔となることがなく、その液体補充が容易となる。
【００２１】
又キャップ嵌合筒14の上端面から等間隔に等高かつ複数の山状部51を起立させると共に、注出部材の把持筒53と吊持ち筒部33との間隙上部内に、上記山状部と同数の係合板54を等間隔に横設したから、装着筒11から注出部材31を外す際、把持筒53をキャップ嵌合筒14に対して回して係合板54を山状部51上へ乗上げさせることで容易に行うことが出来、又装着筒11に対する注出部材31の嵌合は、上記把持筒53と吊持ち筒部33との間隙内へキャップ嵌合筒14上部を嵌合させればよいから、それ等取外し、および嵌合の操作を極めて容易に行うことが出来る。
【図面の簡単な説明】
【図１】  本発明容器要部の縦断面図である。
【図２】  図１主要部材の半断した側面図である。
【図３】  図２と異る主要部材を半断した側面図である。
【図４】  異る実施形態で示す、容器要部の縦断面図である。
【図５】  図４の実施形態において、容器体内へ液体補充している状態を示す説明図である。
【符号の説明】
11…装着筒                14…キャップ嵌合筒
19…雌螺条                31…注出部材
33…吊持ち筒部            36…樋状注出部
38…雄螺条                41…計量キャップ
51…山状部                54…係合板
【図１】
0003841960.tif 000002
【図２】
0003841960.tif 000003
【図３】
0003841960.tif 000004
【図４】
0003841960.tif 000005
【図５】
0003841960.tif 000006